(57)【要約】【課題】この発明は、地上波放送の受信環境に対応して放送受信動作を制限可能とし、無用な受信動作が実行されることを防止し得るようにした放送受信装置及び放送受信方法を提供することを目的としている。【解決手段】受信した複数種類の放送のうち切り換え要求された放送への切り換えの可否を判別する。そして、切り換え要求された放送への切り換えが可であるとき、該放送を選択して番組に対応した信号を再生し、切り換え要求された放送への切り換えが不可であるとき、該放送に対する切り換え要求を無効とする。【選択図】    図２
2006094433.tif 000002
【特許請求の範囲】
【請求項１】
放送形態の異なる複数種類の放送を受信可能な受信手段と、
前記受信手段で受信した複数種類の放送のうち所定の放送への切り換え要求を検出する検出手段と、
前記検出手段で検出された切り換え要求に対応する放送への切り換えの可否を判別する判別手段と、
前記判別手段により、前記検出手段で検出された切り換え要求に対応する放送への切り換えが可であると判断されたとき、該放送を選択して番組に対応した信号を再生する処理手段と、
前記判別手段により、前記検出手段で検出された切り換え要求に対応する放送への切り換えが不可であると判断されたとき、該放送に対する前記切り換え要求を無効とする制御手段とを具備することを特徴とする放送受信装置。
【請求項２】
前記判別手段は、前記切り換え要求に対応した放送に対して予め登録されている切り換えの不可を示す情報を参照することによって判別を行なうことを特徴とする請求項１記載の放送受信装置。
【請求項３】
前記検出手段は、リモートコントローラのキー操作により所定の放送への切り換えが行なわれたとき、装置本体のキー操作により所定の放送への切り換えが行なわれたとき、番組予約に基づいて所定の放送への切り換えが行なわれたとき、外部から所定の放送への切り換えコマンドが発生されたとき、のいずれかを所定の放送への切り換え要求として検出することを特徴とする請求項１または２記載の放送受信装置。
【請求項４】
前記制御手段は、前記検出手段が、リモートコントローラのキー操作または装置本体のキー操作により所定の放送への切り換えが行なわれたことを検出したとき、それらのキー操作を無効とすることを特徴とする請求項３記載の放送受信装置。
【請求項５】
前記制御手段は、前記検出手段が、番組予約に基づいて所定の放送への切り換えが行なわれたことを検出したとき、その番組予約を破棄することを特徴とする請求項３記載の放送受信装置。
【請求項６】
前記制御手段は、前記検出手段が、番組予約に基づいて所定の放送への切り換えが行なわれたこと、外部から所定の放送への切り換えコマンドが発生されたこと、のいずれかを検出したとき、前記切り換え要求された放送に切り換えられないことを警告することを特徴とする請求項３記載の放送受信装置。
【請求項７】
前記複数種類の放送を一定の順序で循環的に選択可能とする操作子を具備し、
前記制御手段は、切り換えが不可であると判断された放送を、前記操作子よって選択可能な項目から外すことを特徴とする請求項１記載の放送受信装置。
【請求項８】
前記操作子は装置本体に設置されることを特徴とする請求項７記載の放送受信装置。
【請求項９】
前記複数種類の放送は、地上デジタル放送及び地上アナログ放送を含むことを特徴とする請求項１乃至８いずれかに記載の放送受信装置。
【請求項１０】
放送形態の異なる複数種類の放送のうち所定の放送への切り換え要求を検出する第１の工程と、
前記第１の工程で検出された切り換え要求に対応する放送への切り換えの可否を判別する第２の工程と、
前記第２の工程により、前記第１の工程で検出された切り換え要求に対応する放送への切り換えが可であると判断されたとき、該放送を選択して番組に対応した信号を再生する第３の工程と、
前記第２の工程により、前記第１の工程で検出された切り換え要求に対応する放送への切り換えが不可であると判断されたとき、該放送に対する前記切り換え要求を無効とする第４の工程とを具備することを特徴とする放送受信方法。
【請求項１１】
前記第４の工程は、操作子によって前記複数種類の放送を一定の順序で循環的に選択可能とする場合、切り換えが不可であると判断された放送を、前記操作子よって選択可能な項目から外すことを特徴とする請求項１０記載の放送受信方法。
【発明の詳細な説明】
【技術分野】
【０００１】
この発明は、特に地上波テレビジョン放送を受信する放送受信装置及び放送受信方法の改良に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
すなわち、現状では、地上アナログ放送、衛星デジタル放送及び地上デジタル放送のように、放送形態の異なる複数種類の放送が混在した運用形態となっている。このため、現在のテレビジョン放送受信装置にあっては、各放送を選択的に切り換えて受信可能とする機能を備えたものが普及している。
【０００４】
ところで、地上デジタル放送では、既に放送が開始されている地域と、まだ放送が開始されていない地域とが混在している。このことに対して、上記の機能を有するテレビジョン放送受信装置では、特に対策が施されておらず、地上デジタル放送が開始されていない地域において、ユーザが地上デジタル放送への切り換え操作を行なうと、地上デジタル放送の受信動作が実行されて無信号画面の表示状態や無音声状態になっている。
【０００５】
特許文献１には、アナログ地上波テレビジョン放送信号から分離した映像信号の搬送波周波数にロックしたことを示す信号に基づいて、アナログ地上波テレビジョン放送信号かデジタル地上波テレビジョン放送信号かを自動的に判別する技術が開示されている。
【０００６】
また、特許文献２には、受信可能なチャンネルを設定する制御と、受信可能チャンネルの状態を監視し少なくとも１つのチャンネルを受信不可能と判定したときチャンネルを再設定する制御とを行なう技術が開示されている。
【特許文献１】特開２００３−２１９３１１号公報
【特許文献２】特開２００１−１４８８１０号公報
【発明の開示】
【発明が解決しようとする課題】
【０００７】
そこで、この発明は上記事情を考慮してなされたもので、地上波放送の受信環境に対応して放送受信動作を制限可能とし、無用な受信動作が実行されることを防止し得るようにした放送受信装置及び放送受信方法を提供することを目的とする。
【課題を解決するための手段】
【０００８】
この発明に係る放送受信装置は、放送形態の異なる複数種類の放送を受信可能な受信手段と、受信手段で受信した複数種類の放送のうち所定の放送への切り換え要求を検出する検出手段と、検出手段で検出された切り換え要求に対応する放送への切り換えの可否を判別する判別手段と、判別手段により、検出手段で検出された切り換え要求に対応する放送への切り換えが可であると判断されたとき、該放送を選択して番組に対応した信号を再生する処理手段と、判別手段により、検出手段で検出された切り換え要求に対応する放送への切り換えが不可であると判断されたとき、該放送に対する切り換え要求を無効とする制御手段とを備えるようにしたものである。
【０００９】
また、この発明に係る放送受信方法は、放送形態の異なる複数種類の放送のうち所定の放送への切り換え要求を検出する第１の工程と、第１の工程で検出された切り換え要求に対応する放送への切り換えの可否を判別する第２の工程と、第２の工程により、第１の工程で検出された切り換え要求に対応する放送への切り換えが可であると判断されたとき、該放送を選択して番組に対応した信号を再生する第３の工程と、第２の工程により、第１の工程で検出された切り換え要求に対応する放送への切り換えが不可であると判断されたとき、該放送に対する切り換え要求を無効とする第４の工程とを備えるようにしたものである。
【発明の効果】
【００１０】
上記した発明によれば、切り換え要求された放送への切り換えの可否を判別し、切り換えが不可であると判断されたとき、該放送に対する切り換え要求を無効とするようにしたので、地上波放送の受信環境に対応して放送受信動作を制限可能とし、無用な受信動作が実行されることを防止することが可能となる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３及びｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号及び音声信号に復調された後、信号処理部４７に出力される。
【００２５】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２６】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００２７】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００２８】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００２９】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３０】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３１】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３２】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３３】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３４】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３５】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３６】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３７】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３８】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３９】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４０】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４１】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ、ＢＳデジタル放送と１１０度ＣＳデジタル放送との切換キー１７ｑ、地上デジタル放送と地上アナログ放送との切換キー１７ｒ等が設けられている。
【００４３】
図４は、このデジタルテレビジョン放送受信装置１１に対して、ユーザが地上デジタル放送または地上アナログ放送への切り換えを不可とする状態に設定する動作の一例を説明するためのフローチャートを示している。
【００４４】
地上アナログ放送への切り換えを不可状態に設定する理由は、既に地上デジタル放送が開始されている地域の場合、地上デジタル放送における放送内容が地上アナログ放送と重複するため、積極的に地上アナログ放送への切り換えを不可状態にした方が、将来的に地上アナログ放送が廃止されることも含めて、ユーザにとって有利となるからである。
【００４５】
この動作は、ユーザによりリモートコントローラ１７のメニューキー１７ｐが操作されたことで開始（ステップＳ４ａ）される。すると、制御部６１は、ステップＳ４ｂで、設定メニューを映像表示器１４に表示させる。この設定メニューは、複数種類の設定事項について、それぞれを選択的に設定可能とするために階層構造を有している。
【００４６】
その後、制御部６１は、ステップＳ４ｃで、ユーザによって設定メニューの階層の中から選択された地上波切換設定の画面を表示させる。この地上波切換設定の画面では、図５に示すように、「地上Ａ（Analog）」、「地上Ｄ（Digital）」、「設定しない」の３つの項目が選択可能に一覧表示されている。なお、選択された項目は、画面上では他の項目と色を変えて表示されるが、図５では、「設定しない」が選択された状態をハッチングにより示している。
【００４７】
この地上波切換設定画面が表示されると、制御部６１は、ステップＳ４ｄで、ユーザによっていずれの項目が選択されたかを判別する。項目の選択は、ユーザが、リモートコントローラ１７のカーソルキー１７ｆを操作して所望の項目を選択し、決定キー１７ｇを操作することによって完了される。
【００４８】
そして、「設定しない」の項目が選択されたと判断された場合、制御部６１は、ステップＳ４ｅで、地上アナログ放送と地上デジタル放送とのいずれにも切り換えを可能とする状態に設定して、処理を終了（ステップＳ４ｈ）する。この設定は、例えば、地上デジタル放送及び地上アナログ放送への切り換えが可であることを示す情報を、前記不揮発性メモリ６４に登録することによって行なわれる。
【００４９】
また、上記ステップＳ４ｄで「地上Ｄ」の項目が選択されたと判断された場合、制御部６１は、ステップＳ４ｆで、地上デジタル放送への切り換えを不可とする状態に設定して、処理を終了（ステップＳ４ｈ）する。この設定は、例えば、地上デジタル放送への切り換えが不可であることを示す情報を、前記不揮発性メモリ６４に登録することによって行なわれる。
【００５０】
さらに、上記ステップＳ４ｄで「地上Ａ」の項目が選択されたと判断された場合、制御部６１は、ステップＳ４ｇで、地上アナログ放送への切り換えを不可とする状態に設定して、処理を終了（ステップＳ４ｈ）する。この設定も、地上アナログ放送への切り換えが不可であることを示す情報を、前記不揮発性メモリ６４に登録することによって行なわれる。
【００５１】
この動作によれば、ユーザの設定により、地上デジタル放送または地上アナログ放送への切り換えを選択的に不可状態に設定することができる。
【００５２】
図６は、デジタルテレビジョン放送受信装置１１に対して、地上デジタル放送への切り換えを不可とする状態に設定する動作の他の例を説明するためのフローチャートを示している。
【００５３】
この動作は、地上デジタル放送の物理チャンネルをスキャンして受信可能なチャンネルを自動検索する、いわゆる初期設定が要求されたことで開始（ステップＳ６ａ）される。すると、制御部６１は、ステップＳ６ｂで、地上デジタル放送の物理チャンネルスキャンを実行し、ステップＳ６ｃで、地上デジタル放送の受信の可否を判別する。
【００５４】
そして、地上デジタル放送の受信が可であると判断された場合（ＹＥＳ）、制御部６１は、ステップＳ６ｄで、地上アナログ放送と地上デジタル放送とのいずれにも切り換えを可能とする状態に設定して、処理を終了（ステップＳ６ｆ）する。
【００５５】
また、地上デジタル放送の受信が不可であると判断された場合（ＮＯ）、制御部６１は、ステップＳ６ｅで、地上デジタル放送への切り換えを不可とする状態に設定して、処理を終了（ステップＳ６ｆ）する。
【００５６】
この動作によれば、初期設定時に、自動的に地上デジタル放送への切り換えが不可状態に設定されることになる。
【００５７】
図７は、デジタルテレビジョン放送受信装置１１に対して、地上デジタル放送または地上アナログ放送への切り換えを不可とする状態に設定する動作のさらに他の例を説明するためのフローチャートを示している。
【００５８】
この動作も、地上デジタル放送の物理チャンネルをスキャンして受信可能なチャンネルを自動検索する、いわゆる初期設定が要求されたことで開始（ステップＳ７ａ）される。すると、制御部６１は、ステップＳ７ｂで、地上デジタル放送の物理チャンネルスキャンを実行し、ステップＳ７ｃで、地上デジタル放送の受信の可否を判別する。
【００５９】
そして、地上デジタル放送の受信が可であると判断された場合（ＹＥＳ）、制御部６１は、ステップＳ７ｄで、地上アナログ放送への切り換えを不可とする状態に設定して、処理を終了（ステップＳ７ｆ）する。
【００６０】
また、地上デジタル放送の受信が不可であると判断された場合（ＮＯ）、制御部６１は、ステップＳ７ｅで、地上デジタル放送への切り換えを不可とする状態に設定して、処理を終了（ステップＳ７ｆ）する。
【００６１】
この動作によれば、初期設定時に、自動的に地上デジタル放送または地上アナログ放送への切り換えが選択的に不可状態に設定されることになる。
【００６２】
図８は、地上デジタル放送または地上アナログ放送への切り換えが要求された場合の動作の一例を説明するためのフローチャートを示している。すなわち、動作が開始（ステップＳ８ａ）され、制御部６１は、ステップＳ８ｂで、地上デジタル放送または地上アナログ放送への切り換え要求を検出すると、ステップＳ８ｃで、地上デジタル放送または地上アナログ放送への切り換えが不可状態に設定されているか否かを判別する。この判別は、前記不揮発性メモリ６４に登録された情報を参照することによって行なわれる。
【００６３】
そして、切り換えが不可に設定されていると判断された場合（ＹＥＳ）、制御部６１は、ステップＳ８ｄで、地上デジタル放送または地上アナログ放送への切り換え要求を無効とし、地上デジタル放送または地上アナログ放送の受信動作を実行せずに処理を終了（ステップＳ８ｆ）する。
【００６４】
また、切り換えが不可に設定されていないと判断された場合（ＮＯ）、制御部６１は、ステップＳ８ｅで、地上デジタル放送または地上アナログ放送への切り換え要求を許可し、地上デジタル放送または地上アナログ放送の受信動作を実行して処理を終了（ステップＳ８ｆ）する。
【００６５】
この動作によれば、地上デジタル放送または地上アナログ放送への切り換えが不可状態に設定されている場合、地上デジタル放送または地上アナログ放送へのあらゆる切り換え要求が無効とされ、地上デジタル放送または地上アナログ放送の無用な受信動作が実行されることが防止されるようになる。
【００６６】
ここで、地上アナログ放送への切り換え要求としては、例えば、リモートコントローラ１７の切換キー１７ｒで地上アナログ放送に切り換えたとき、デジタルテレビジョン放送受信装置１１のキャビネット１２に設けられた操作部１６含まれる放送切換キー（詳細は後述）で地上アナログ放送に切り換えたとき、番組予約で地上アナログ放送を設定し、その予約番組の受信動作が開始されたとき、等々に発生される。
【００６７】
地上アナログ放送への切り換えが不可状態に設定されている場合、地上アナログ放送への上記したあらゆる切り換え要求が無効とされ、地上アナログ放送の受信動作が実行されないように制御される。
【００６８】
また、地上デジタル放送への切り換え要求としては、例えば、リモートコントローラ１７の切換キー１７ｒで地上デジタル放送に切り換えたとき、デジタルテレビジョン放送受信装置１１のキャビネット１２に設けられた操作部１６含まれる放送切換キー（詳細は後述）で地上デジタル放送に切り換えたとき、番組予約で地上デジタル放送を設定し、その予約番組の受信動作が開始されたとき、ＢＳ放送，データ放送またはブックマークにより地上デジタル放送への切り換えコマンドが発生されたとき、等々に発生される。
【００６９】
地上デジタル放送への切り換えが不可状態に設定されている場合、地上デジタル放送への上記したあらゆる切り換え要求が無効とされ、地上デジタル放送の受信動作が実行されないように制御される。
【００７０】
そして、地上デジタル放送または地上アナログ放送への切り換えが不可状態に設定されている場合、リモートコントローラ１７や操作部１６の操作で地上デジタル放送または地上アナログ放送への切り換えが要求された場合には、その操作が無効とされて、現状の受信状態が維持されることになる。
【００７１】
また、地上デジタル放送または地上アナログ放送への切り換えが不可状態に設定されているとき、番組予約によって地上デジタル放送または地上アナログ放送への切り換えが要求された場合には、その番組予約自体を破棄させるか、または、図９に示すように、予約番組の受信時に「予約番組を受信できません」のようなメッセージを表示させて警告する。
【００７２】
さらに、地上デジタル放送または地上アナログ放送への切り換えが不可状態に設定されているとき、地上デジタル放送への切り換えコマンドによって地上デジタル放送への切り換えが要求された場合には、図１０に示すように、「設定により地上デジタル放送に切り換えられません」のようなメッセージを表示させて警告する。
【００７３】
次に、デジタルテレビジョン放送受信装置１１の本体であるキャビネット１２に設けられた操作部１６含まれる放送切換キーについて説明する。図１１（ａ），（ｂ）は、デジタルテレビジョン放送受信装置１１を上面及び正面から見た状態を示している。
【００７４】
このデジタルテレビジョン放送受信装置１１のキャビネット１２の上面には、操作部１６が設置されている。この操作部１６には、主電源キー１６ａ、上記した放送切換キー１６ｂ、入力切換キー１６ｃ、音量調整キー１６ｄ、チャンネルアップダウンキー１６ｅ等が配置されている。
【００７５】
そして、放送切換キー１６ｂを操作すると、操作する毎に、地上アナログ放送→地上デジタル放送→ＢＳデジタル放送→１１０度ＣＳデジタル放送→地上アナログ放送の順序で循環的に放送が切り換えられるようになっている。
【００７６】
ここで、例えば地上デジタル放送への切り換えが不可状態に設定されている場合、放送切換キー１６ｂを操作すると、操作する毎に、地上アナログ放送→ＢＳデジタル放送→１１０度ＣＳデジタル放送→地上アナログ放送の順序で循環的に放送が切り換えられるようになる。つまり、切り換えが不可状態に設定されている地上デジタル放送は、放送切換キー１６ｂによって選択可能な項目から外され（スキップされ）るようになる。
【００７７】
また、地上アナログ放送への切り換えが不可状態に設定されている場合には、放送切換キー１６ｂを操作する毎に、地上デジタル放送→ＢＳデジタル放送→１１０度ＣＳデジタル放送→地上デジタル放送の順序で、つまり、地上アナログ放送がスキップされて循環的に放送が切り換えられるようになる。
【００７８】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００７９】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置の特定放送への切り換えを不可状態に設定する動作の一例を説明するために示すフローチャート。
【図５】同実施の形態におけるデジタルテレビジョン放送受信装置の特定放送への切り換えを不可状態に設定する設定画面の一例を説明するために示す図。
【図６】同実施の形態におけるデジタルテレビジョン放送受信装置の特定放送への切り換えを不可状態に設定する動作の他の例を説明するために示すフローチャート。
【図７】同実施の形態におけるデジタルテレビジョン放送受信装置の特定放送への切り換えを不可状態に設定する動作のさらに他の例を説明するために示すフローチャート。
【図８】同実施の形態におけるデジタルテレビジョン放送受信装置の特定放送への切り換えが要求された場合の動作の一例を説明するために示すフローチャート。
【図９】同実施の形態におけるデジタルテレビジョン放送受信装置の切換不可に設定された放送が番組予約で設定された場合のメッセージ画面を説明するために示す図。
【図１０】同実施の形態におけるデジタルテレビジョン放送受信装置の切換不可に設定された放送がコマンドで指定された場合のメッセージ画面を説明するために示す図。
【図１１】同実施の形態におけるデジタルテレビジョン放送受信装置のキャビネットに設置された放送切換キーを説明するために示す図。
【符号の説明】
【００８０】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ｉ．Link端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６５…カードＩ／Ｆ、６６…カードホルダ、６７…カードＩ／Ｆ、６８…カードホルダ、６９…通信Ｉ／Ｆ、７０…通信Ｉ／Ｆ、７１…ＵＳＢ Ｉ／Ｆ、７２…ｉ．Link Ｉ／Ｆ。
【図１】
2006094433.tif 000003
【図２】
2006094433.tif 000004
【図３】
2006094433.tif 000005
【図４】
2006094433.tif 000006
【図５】
2006094433.tif 000007
【図６】
2006094433.tif 000008
【図７】
2006094433.tif 000009
【図８】
2006094433.tif 000010
【図９】
2006094433.tif 000011
【図１０】
2006094433.tif 000012
【図１１】
2006094433.tif 000013